(57)【要約】【課題】  ＳＤメモリカードにおける接触端子の構造強度を向上させたＳＤメモリカードの接触端子の支持構造を提供する。【解決手段】  一端に接触端子１１を有する回路板１０と、一端に前記回路板１０の接触端子１１と対応して複数の切欠を有する上カバー３０と、下カバー２０とを備えるＳＤメモリカードの接触端子の支持構造であって、前記回路板１０の接触端子１１と対応する下カバー２０の一端に各接触端子１１に対応する複数の支持リブ２１が設けた構成とした。【選択図】  図２
0003109238.tif 000002
【実用新案登録請求の範囲】
【請求項１】
一端に接触端子を有する回路板と、一端に前記回路板の接触端子と対応して複数の切欠を有する上カバーと、下カバーとを備えるＳＤメモリカードの接触端子の支持構造であって、
前記回路板の接触端子と対応する前記下カバーの一端に各接触端子に対応する複数の支持リブが設けられることを特徴とするＳＤメモリカードの接触端子の支持構造。
【請求項２】
前記各支持リブ同士の両端に各支持リブと交差する連接リブが設けられることを特徴とする請求項１に記載のＳＤメモリカードの接触端子の支持構造。
【考案の詳細な説明】
【技術分野】
【０００１】
本考案は、特に、ＳＤ（Ｓｅｃｕｒｅ  Ｄｉｇｉｔａｌ）メモリカードにおける接触端子を支えることにより接触端子の構造強度を向上する、ＳＤメモリカードの接触端子の支持構造に関するものである。
【背景技術】
【０００２】
ＳＤメモリカードは、携帯電話やデジカメの記憶容量を増やすためによく使用されている。従来のＳＤメモリカードの厚さは薄く、その内部の回路板の厚さは約０.３mm であり、上下バーと下カバーの厚さは共に０.２mm より小さい。又、ＳＤメモリカードの厚さは薄いので、その構造強度が弱く、使用中、外力により変形してしまうという問題がある。
【０００３】
上記の問題を解決するため、下カバーに回路板を支持するための支持ブロックが設けられるＳＤメモリカードが開発された。図４に示すように、このＳＤメモリカードは一端に接触端子４１０を有する回路板４１と、一端に回路板４１の接触端子４１０と対応して複数の切欠４２０を有する上カバー４２と、一端に回路板４１を支持するための支持ブロック４００，４０１が設けられた下カバー４０とを備え、該下カバー４０の支持ブロック４００，４０１により、回路板４１の接触端子４１０部分を支えるようになっている。
【考案の開示】
【考案が解決しようとする課題】
【０００４】
しかしながら、前記下カバー４０の支持ブロック４００，４０１は、回路板４１の接触端子４１０と対応する部分を支えるが、対応していない他の接触端子４１０に対しては支持効果を持たないため、各接触端子４１０同士の間に変形を生じさせる恐れがある。
又、前記下カバー４０の支持ブロック４００，４０１は連続した形状の構造でないため、冷熱により変形する下カバー４０と同時に変形してしまう問題を有する。
【０００５】
そこで、案出されたのが本考案であって、ＳＤメモリカードにおける接触端子を支えることにより、接触端子の構造強度を向上するＳＤメモリカードの接触端子の支持構造を提供することを目的としている。
【課題を解決するための手段】
【０００６】
本願のＳＤメモリカードの接触端子の支持構造にかかる請求項１の考案は、一端に接触端子を有する回路板と、一端に回路板の接触端子と対応して複数の切欠を有する上カバーと、下カバーとを備えるＳＤメモリカードの接触端子の支持構造であって、前記回路板の接触端子と対応する下カバーの一端に各接触端子に対応する複数の支持リブが設けられることを特徴とする。
本願の請求項２の考案は、請求項１に記載のＳＤメモリカードの接触端子の支持構造において、各支持リブ同士の両端に各支持リブと交差する連接リブが設けられることを特徴とする。
【考案の効果】
【０００７】
本考案は上記の課題を解決するものであり、回路板の接触端子と対応する下カバーの一端に各接触端子に対応する複数の支持リブが設けられることにより、各接触端子の構造強度を向上することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００９】
図１は本考案に係るＳＤメモリカードの接触端子の支持構造を示す一実施例を示す全体斜視図であり、図２は図１の本考案に係るＳＤメモリカードの接触端子の支持構造を示す分解斜視図であり、図３は本考案に係るＳＤメモリカードの接触端子の支持構造を示す図１の３−３線に沿った断面図である。
【００１０】
図１乃至図３に示すように、本考案に係わるＳＤメモリカードの接触端子の支持構造は、一端に接触端子１１を有する回路板１０と、一端に前記回路板１０の接触端子１１と対応して形成した複数の切欠３１を有する上カバー３０と、下カバー２０とを備えてなる。
【００１１】
前記回路板１０は一端に複数の接触端子１１が設けられ、前記回路板１０を、上，下カバー３０，２０により挟持している。前記下カバー２０の一端には、前記複数の接触端子１１の各接触端子１１にそれぞれ対応する複数の支持リブ２１が設けられおり、各支持リブ２１同士の一端に各支持リブ２１と交差する連接リブ２２が設けられると共に、他端に該連接リブ２２と同様な構造を有する連接リブ２３が設けられている。
【００１２】
図３に示すように、前記回路板１０を上カバー３０と下カバー２０との間に設ける場合、下カバー２０の支持リブ２１が回路板１０における各接触端子１１を支えることにより、各接触端子１１の構造強度を向上することができる。
【００１３】
又、本考案の支持リブ２１と連接リブ２２，２３は連続の一体構造であるので、下カバー２０が熱変形等により僅かに変形しても、支持リブ２１と連接リブ２２，２３は変形することがないので、前記回路板１０の接触端子１１を確実に支持することができる。
【産業上の利用可能性】
【００１４】
本考案は上記の構成を有するので、回路板に設けられる複数の接触端子と対応する下カバーの一端に、各接触端子に対応する複数の支持リブを設けられことにより、各接触端子の構造強度を向上することができる。
【図面の簡単な説明】
【００１５】
【図１】本考案に係るＳＤメモリカードの接触端子の支持構造の一実施例を示す全体斜視図である。
【図２】本考案に係るＳＤメモリカードの接触端子の支持構造を示す図１の分解斜視図である。
【図３】図１の３−３線に沿った断面図である。
【図４】従来のＳＤメモリカードを示す分解斜視図である。
【符号の説明】
【００１６】
１０        回路板
１１        接触端子
２０        下カバー
２１        支持リブ
２２        連接リブ
２３        連接リブ
３０        上カバー
３１        切欠
４０        下カバー
４００      支持ブロック
４０１      支持ブロック
４１        回路板
４１０      接触端子
４２        上カバー
４２０      切欠
【図１】
0003109238.tif 000003
【図２】
0003109238.tif 000004
【図３】
0003109238.tif 000005
【図４】
0003109238.tif 000006